【手続補正書】
【提出日】平成23年7月25日(2011.7.25)
【手続補正１】
【補正対象書類名】明細書
【補正対象項目名】０００８
【補正方法】変更
【補正の内容】
【０００８】  上記目的を達成する為、ケーシング内に密に内蔵されて、回転自在なシリンダと、前記シリンダに設けられている、シリンダ軸心に直交方向のピストン穴と、前記ピストン穴に往復自由にゆるく嵌められたピストン穴長さより短寸のピストンと、ピストンの軸心に直交方向に、ピストンに設けられたピストンスライダ穴に、往復自由にゆるく嵌められたピストン外形より短寸のピストンスライダと、ピストンスライダに設けられた偏心軸穴と、偏心軸穴にゆるく嵌められた偏心軸とで構成することと、偏心軸は、シリンダ内に配されたピストンに形成された、ピストン軸心に直交する周方向のピストン長穴と、ピストンスライダの偏心軸穴と、を貫通し、偏心軸の軸心と、シリンダ軸心に対して偏心軸の軸心距離移動調整自在のフロントスライダと、フロントスライダ穴と、偏心軸と、をフロントカバーに配し、フロントスライダ穴にフロントスライダがゆるく嵌められ、偏心軸がフロントスライダの穴を貫通して固定された偏心軸端は、ケーシングの開口部にフロントカバーを嵌め合い配している、フロントカバーに配された、偏心軸の軸心に直交する長穴に、ゆるく嵌められていることと、フロントカバーに、偏心軸の軸心に直交する方向に偏心軸の軸心距離移動調整自在のフロントスライダを配してあることと、フロントスライダは、外部から移動可能に配したネジの機構で構成することと、偏心軸の円周とピストンスライダに設けられた偏心軸穴の円周との摺動する面とが設けており、当該偏心軸の円周が半円周以上にカットされていることと、偏心軸の円周を、ピストンスライダ外形、ピストン外形より大の長さにカットされており、シリンダの回転にともなって、シリンダ軸心に直交するピストン穴内で、偏心軸機構を介してピストンが往復運動を行うようになっていることと、シリンダの外周の摺動面に対する、ケーシングの内周の摺動面と、ピストンに対する、シリンダンに設けられたピストン穴の摺動面と、ピストン穴と、ピストンと、ピストンスライダと、シリンダの回転にともなって、シリンダ軸心に直交する方向のピストン穴内をピストンが往復運動する際に、前記偏心軸の円周がカットされていることで、ピストン穴内のピストンは偏心軸から外れ、ピストンの軌跡をサインカーブ状で動作し無いようにし、ピストンの自重と、真空圧力と、でピストンがシリンダ内で受容体積室を急激に形成することと、吸込口内の品物を受容体積室に急激に受容すると共に、品物を受容体積室に保持しつつシリンダは回転し、ピストンとシリンダとで形成されるもう一方の受容体積室に先に急激に受容していた品物を受容体積室外に相対して急激に押し出すように構成することと、ピストン穴一端の開口が品物を吸込する位置及び同他端の開口が品物を吐出する位置のそれぞれに対応して、シリンダが密に嵌め入れられているケーシングに、ピストン穴とピストンとに相対して設けられた品物の吸引口及び吐出口を配し構成せられており、前記受容体積室に急激に受容された品物と、シリンダの１個の穴、複数穴又は焼結合金多穴の排気穴と、ケーシングの１個の穴、複数穴又は焼結合金多穴の排気穴と、外部に設けた真空ポンプとを導通することと、前記受容体積室を急激に形成され、品物が受容され���位置と、前記受容体積室外に急激に品物を押し出した位置と、前記排気穴が導通した位置と、をシリンダの停止位置にすることと、シリンダの停止位置をピストンの下死点及び上死点にすることと、前記急激に形成される受容体積室に受容された体積内の品物中の空気を、真空ポンプの最大真空圧力までの任意の真空圧力に自在調整し排気することと、前記真空で排気し一定の密度にならしめて、品物の定量充填するための方法。前記方法を用いてなる装置を複数台設けて複数のキャリアを、受容容器へ並行、又は、連動のいずれかで、容量比例充填する高精度の定量供給ゾーンの定量供給工程、収容容器に内装された交差するスベリ台状の調合ゾーンの調合工程、攪拌、リボン、又は、スパイラル羽根の混合ゾーンの混合工程、又は、貯蔵ゾーンの貯蔵工程、のいずれか１工程を備えた、調合するための、又は、混合するためのいずれかの方法。一開口した金属箔の容器又は帯板状に、リチウムイオン化合物からなる正負極活物質粉又はペーストを、形成、又は、充填し、極活物質板、電池極又は水素吸蔵層を製造する。
【手続補正２】
【補正対象書類名】明細書
【補正対象項目名】００１９
【補正方法】変更
【補正の内容】
【００１９】  ケーシング内に密に内蔵されて、回転自在なシリンダと、前記シリンダに設けられている、シリンダ軸心に直交方向のピストン穴と、前記ピストン穴に往復自由にゆるく嵌められたピストン穴長さより短寸のピストンと、ピストンの軸心に直交方向に、ピストンに設けられたピストンスライダ穴に、往復自由にゆるく嵌められたピストン外形より短寸のピストンスライダと、ピストンスライダに設けられた偏心軸穴と、偏心軸穴にゆるく嵌められた偏心軸とで構成することと、偏心軸は、シリンダ内に配されたピストンに形成された、ピストン軸心に直交する周方向のピストン長穴と、ピストンスライダの偏心軸穴と、を貫通し、偏心軸の軸心と、シリンダ軸心に対して偏心軸の軸心距離移動調整自在のフロントスライダと、フロントスライダ穴と、偏心軸と、をフロントカバーに配し、フロントスライダ穴にフロントスライダがゆるく嵌められ、偏心軸がフロントスライダの穴を貫通して固定された偏心軸端は、ケーシングの開口部にフロントカバーを嵌め合い配している、フロントカバーに配された、偏心軸の軸心に直交する長穴に、ゆるく嵌められていることと、フロントカバーに、偏心軸の軸心に直交する方向に偏心軸の軸心距離移動調整自在のフロントスライダを配してあることと、フロントスライダは、外部から移動可能に配したネジの機構で構成することと、偏心軸の円周とピストンスライダに設けられた偏心軸穴の円周との摺動する面とが設けており、当該偏心軸の円周が半円周以上にカットされていることと、偏心軸の円周を、ピストンスライダ外形、ピストン外形より大の長さにカットされており、シリンダの回転にともなって、シリンダ軸心に直交するピストン穴内で、偏心軸機構を介してピストンが往復運動を行うようになっていることと、シリンダの外周の摺動面に対する、ケーシングの内周の摺動面と、ピストンに対する、シリンダンに設けられたピストン穴の摺動面と、ピストン穴と、ピストンと、ピストンスライダと、シリンダの回転にともなって、シリンダ軸心に直交する方向のピストン穴内をピストンが往復運動する際に、前記偏心軸の円周がカットされていることで、ピストン穴内のピストンは偏心軸から外れ、ピストンの軌跡をサインカーブ状で動作し無いようにし、ピストンの自重と、真空圧力と、でピストンがシリンダ内で受容体積室を急激に形成することと、吸込口内の品物を受容体積室に急激に受容すると共に、品物を受容体積室に保持しつつシリンダは回転し、ピストンとシリンダとで形成されるもう一方の受容体積室に先に急激に受容していた品物を受容体積室外に相対して急激に押し出すように構成することと、ピストン穴一端の開口が品物を吸込する位置及び同他端の開口が品物を吐出する位置のそれぞれに対応して、シリンダが密に嵌め入れられているケーシングに、ピストン穴とピストンとに相対して設けられた品物の吸引口及び吐出口を配し構成せられており、前記受容体積室に急激に受容された品物と、シリンダの１個の穴、複数穴又は焼結合金多穴の排気穴と、ケーシングの１個の穴、複数穴又は焼結合金多穴の排気穴と、外部に設けた真空ポンプとを導通することと、前記受容体積室を急激に形成され、品物が受容された位置と、前記受容体積���外に急激に品物を押し出した位置と、前記排気穴が導通した位置と、をシリンダの停止位置にすることと、シリンダの停止位置をピストンの下死点及び上死点にすることと、前記急激に形成される受容体積室に受容された体積内の品物中の空気を、真空ポンプの最大真空圧力までの任意の真空圧力に自在調整し排気することと、前記真空で排気し一定の密度にならしめて、品物の定量充填するための方法。前記方法を用いてなる装置を複数台設けて複数のキャリアを、受容容器へ並行、又は、連動のいずれかで、容量比例充填する高精度の定量供給ゾーンの定量供給工程、収容容器に内装された交差するスベリ台状の調合ゾーンの調合工程、攪拌、リボン、又は、スパイラル羽根の混合ゾーンの混合工程、又は、貯蔵ゾーンの貯蔵工程、のいずれか１工程を備えた、調合するための、又は、混合するためのいずれかの方法。前記の方法を用いて、難工程の極活物質と導電材との比例定量供給と比例混合とが、容易に連続的に出来る、また、一開口した金属箔の容器又は帯板状に、リチウムイオン化合物からなる正負極活物質粉又はペーストを、形成、又は、充填し、極活物質板、電池極又は水素吸蔵層を製造する。
【手続補正３】
【補正対象書類名】明細書
【補正対象項目名】００２３
【補正方法】変更
【補正の内容】
【００２３】ケーシング内に密に内蔵されて、回転自在なシリンダと、前記シリンダに設けられている、シリンダ軸心に直交方向のピストン穴と、前記ピストン穴に往復自由にゆるく嵌められたピストン穴長さより短寸のピストンと、ピストンの軸心に直交方向に、ピストンに設けられたピストンスライダ穴に、往復自由にゆるく嵌められたピストン外形より短寸のピストンスライダと、ピストンスライダに設けられた偏心軸穴と、偏心軸穴にゆるく嵌められた偏心軸とで構成することと、偏心軸は、シリンダ内に配されたピストンに形成された、ピストン軸心に直交する周方向のピストン長穴と、ピストンスライダの偏心軸穴と、を貫通し、偏心軸の軸心と、シリンダ軸心に対して偏心軸の軸心距離移動調整自在のフロントスライダと、フロントスライダ穴と、偏心軸と、をフロントカバーに配し、フロントスライダ穴にフロントスライダがゆるく嵌められ、偏心軸がフロントスライダの穴を貫通して固定された偏心軸端は、ケーシングの開口部にフロントカバーを嵌め合い配している、フロントカバーに配された、偏心軸の軸心に直交する長穴に、ゆるく嵌められていることと、フロントカバーに、偏心軸の軸心に直交する方向に偏心軸の軸心距離移動調整自在のフロントスライダを配してあることと、フロントスライダは、外部から移動可能に配したネジの機構で構成することと、偏心軸の円周とピストンスライダに設けられた偏心軸穴の円周との摺動する面とが設けており、当該偏心軸の円周が半円周以上にカットされていることと、偏心軸の円周を、ピストンスライダ外形、ピストン外形より大の長さにカットされており、シリンダの回転にともなって、シリンダ軸心に直交するピストン穴内で、偏心軸機構を介してピストンが往復運動を行うようになっていることと、シリンダの外周の摺動面に対する、ケーシングの内周の摺動面と、ピストンに対する、シリンダンに設けられたピストン穴の摺動面と、ピストン穴と、ピストンと、ピストンスライダと、シリンダの回転にともなって、シリンダ軸心に直交する方向のピストン穴内をピストンが往復運動する際に、前記偏心軸の円周がカットされていることで、ピストン穴内のピストンは偏心軸から外れ、ピストンの軌跡をサインカーブ状で動作し無いようにし、ピストンの自重と、真空圧力と、でピストンがシリンダ内で受容体積室を急激に形成することと、吸込口内の品物を受容体積室に急激に受容すると共に、品物を受容体積室に保持しつつシリンダは回転し、ピストンとシリンダとで形成されるもう一方の受容体積室に先に急激に受容していた品物を受容体積室外に相対して急激に押し出すように構成することと、ピストン穴一端の開口が品物を吸込する位置及び同他端の開口が品物を吐出する位置のそれぞれに対応して、シリンダが密に嵌め入れられているケーシングに、ピストン穴とピストンとに相対して設けられた品物の吸引口及び吐出口を配し構成せられており、前記受容体積室に急激に受容された品物と、シリンダの１個の穴、複数穴又は焼結合金多穴の排気穴と、ケーシングの１個の穴、複数穴又は焼結合金多穴の排気穴と、外部に設けた真空ポンプとを導通することと、前記受容体積室を急激に形成され、品物が受容された位置と、前記受容体積室外に急激に品物を押し出した位置と、前記排気穴が導通した位置と、をシリンダの停止位置にすることと、シリンダの停止位置をピストンの下死点及び上死点にすることと、前記急激に形成される受容体積室に受容された体積内の品物中の空気を、真空ポンプの最大真空圧力までの任意の真空圧力に自在調整し排気することと、前記真空で排気し一定の密度にならしめて、品物の定量充填するための方法。前記方法を用いてなる装置を複数台設けて複数のキャリアを、受容容器へ並行、又は、連動のいずれかで、容量比例充填する高精度の定量供給ゾーンの定量供給工程、収容容器に内装された交差するスベリ台状の調合ゾーンの調合工程、攪拌、リボン、又は、スパイラル羽根の混合ゾーンの混合工程、又は、貯蔵ゾーンの貯蔵工程、のいずれか１工程を備えた、調合するための、又は、混合するためのいずれかの方法。前記の方法を用いて、一開口した金属箔の容器又は帯板状に、リチウムイオン化合物からなる正負極活物質粉又はペーストを、形成、又は、充填し、極活物質板、電池極又は水素吸蔵層を製造する。
【手続補正４】
【補正対象書類名】特許請求の範囲
【補正対象項目名】全文
【補正方法】変更
【補正の内容】
【特許請求の範囲】
【請求項１】
ケーシング内に密に内蔵されて、回転自在なシリンダと、前記シリンダに設けられている、シリンダ軸心に直交方向のピストン穴と、前記ピストン穴に往復自由にゆるく嵌められたピストン穴長さより短寸のピストンと、ピストンの軸心に直交方向に、ピストンに設けられたピストンスライダ穴に、往復自由にゆるく嵌められたピストン外形より短寸のピストンスライダと、ピストンスライダに設けられた偏心軸穴と、偏心軸穴にゆるく嵌められた偏心軸とで構成することと、偏心軸は、シリンダ内に配されたピストンに形成された、ピストン軸心に直交する周方向のピストン長穴と、ピストンスライダの偏心軸穴と、を貫通し、偏心軸の軸心と、シリンダ軸心に対して偏心軸の軸心距離移動調整自在のフロントスライダと、フロントスライダ穴と、偏心軸と、をフロントカバーに配し、フロントスライダ穴にフロントスライダがゆるく嵌められ、偏心軸がフロントスライダの穴を貫通して固定された偏心軸端は、ケーシングの開口部にフロントカバーを嵌め合い配している、フロントカバーに配された、偏心軸の軸心に直交する長穴に、ゆるく嵌められていることと、フロントカバーに、偏心軸の軸心に直交する方向に偏心軸の軸心距離移動調整自在のフロントスライダを配してあることと、フロントスライダは、外部から移動可能に配したネジの機構で構成することと、偏心軸の円周とピストンスライダに設けられた偏心軸穴の円周との摺動する面とが設けており、当該偏心軸の円周が半円周以上にカットされていることと、偏心軸の円周を、ピストンスライダ外形、ピストン外形より大の長さにカットされており、シリンダの回転にともなって、シリンダ軸心に直交するピストン穴内で、偏心軸機構を介してピストンが往復運動を行うようになっていることと、シリンダの外周の摺動面に対する、ケーシングの内周の摺動面と、ピストンに対する、シリンダンに設けられたピストン穴の摺動面と、ピストン穴と、ピストンと、ピストンスライダと、シリンダの回転にともなって、シリンダ軸心に直交する方向のピストン穴内をピストンが往復運動する際に、前記偏心軸の円周がカットされていることで、ピストン穴内のピストンは偏心軸から外れ、ピストンの軌跡をサインカーブ状で動作し無いようにし、ピストンの自重と、真空圧力と、でピストンがシリンダ内で受容体積室を急激に形成することと、吸込口内の品物を受容体積室に急激に受容すると共に、品物を受容体積室に保持しつつシリンダは回転し、ピストンとシリンダとで形成されるもう一方の受容体積室に先に急激に受容していた品物を受容体積室外に相対して急激に押し出すように構成することと、ピストン穴一端の開口が品物を吸込する位置及び同他端の開口が品物を吐出する位置のそれぞれに対応して、シリンダが密に嵌め入れられているケーシングに、ピストン穴とピストンとに相対して設けられた品物の吸引口及び吐出口を配し構成せられており、前記受容体積室に急激に受容された品物と、シリンダの１個の穴、複数穴又は焼結合金多穴の排気穴と、ケーシングの１個の穴、複数穴又は焼結合金多穴の排気穴と、外部に設けた真空ポンプとを導通することと、前記受容体積室を急激に形成され、品物が受容された位置と、前記受容体積室外に急激に品物を押し出した位置と、前記排気穴が導通した位置と、をシリンダの停止位置にすることと、シリンダの停止位置をピストンの下死点及び上死点にすることと、前記急激に形成される受容体積室に受容された体積内の品物中の空気を、真空ポンプの最大真空圧力までの任意の真空圧力に自在調整し排気することと、前記真空で排気し一定の密度にならしめて、品物の定量充填するための方法。前記方法を用いてなる装置を複数台設けて複数のキャリアを、受容容器へ並行、又は、連動のいずれかで、容量比例充填する高精度の定量供給ゾーンの定量供給工程、収容容器に内装された交差するスベリ台状の調合ゾーンの調合工程、攪拌、リボン、又は、スパイラル羽根の混合ゾーンの混合工程、又は、貯蔵ゾーンの貯蔵工程、のいずれか１工程を備えた、調合するための、又は、混合するためのいずれかの方法。
【請求項２】
請求項１に記載の方法を用いてなる装置。
【請求項３】
請求項１に記載の調合するための方法、又は、混合するための方法のいずれかを用いてなる品物を、ケーシング内に密に内蔵されて、回転自在なシリンダと、前記シリンダに設けられている、シリンダ軸心に直交方向のピストン穴と、前記ピストン穴に往復自由にゆるく嵌められたピストン穴長さより短寸のピストンと、ピストンの軸心に直交方向に、ピストンに設けられたピストンスライダ穴に、往復自由にゆるく嵌められたピストン外形より短寸のピストンスライダと、ピストンスライダに設けられた偏心軸穴と、偏心軸穴にゆるく嵌められた偏心軸とで構成することと、偏心軸は、シリンダ内に配されたピストンに形成された、ピストン軸心に直交する周方向のピストン長穴と、ピストンスライダの偏心軸穴と、を貫通し、偏心軸の軸心と、シリンダ軸心に対して偏心軸の軸心距離移動調整自在のフロントスライダと、フロントスライダ穴と、偏心軸と、をフロントカバーに配し、フロントスライダ穴にフロントスライダがゆるく嵌められ、偏心軸がフロントスライダの穴を貫通して固定された偏心軸端は、ケーシングの開口部にフロントカバーを嵌め合い配している、フロントカバーに配された、偏心軸の軸心に直交する長穴に、ゆるく嵌められていることと、フロントカバーに、偏心軸の軸心に直交する方向に偏心軸の軸心距離移動調整自在のフロントスライダを配してあることと、フロントスライダは、外部から移動可能に配したネジの機構で構成することと、偏心軸の円周とピストンスライダに設けられた偏心軸穴の円周との摺動する面とが設けており、当該偏心軸の円周が半円周以上にカットされていることと、偏心軸の円周を、ピストンスライダ外形、ピストン外形より大の長さにカットされており、シリンダの回転にともなって、シリンダ軸心に直交するピストン穴内で、偏心軸機構を介してピストンが往復運動を行うようになっていることと、シリンダの外周の摺動面に対する、ケーシングの内周の摺動面と、ピストンに対する、シリンダンに設けられたピストン穴の摺動面と、ピストン穴と、ピストンと、ピストンスライダと、シリンダの回転にともなって、シリンダ軸心に直交する方向のピストン穴内をピストンが往復運動する際に、前記偏心軸の円周がカットされていることで、ピストン穴内のピストンは偏心軸から外れ、ピストンの軌跡をサインカーブ状で動作し無いようにし、ピストンの自重と、真空圧力と、でピストンがシリンダ内で受容体積室を急激に形成することと、吸込口内の品物を受容体積室に急激に受容すると共に、品物を受容体積室に保持しつつシリンダは回転し、ピストンとシリンダとで形成されるもう一方の受容体積室に先に急激に受容していた品物を受容体積室外に相対して急激に押し出すように構成することと、ピストン穴一端の開口が品物を吸込する位置及び同他端の開口が品物を吐出する位置のそれぞれに対応して、シリンダが密に嵌め入れられているケーシングに、ピストン穴とピストンとに相対して設けられた品物の吸引口及び吐出口を配し構成せられており、前記受容体積室に急激に受容された品物と、シリンダの１個の穴、複数穴又は焼結合金多穴の排気穴と、ケーシングの１個の穴、複数穴又は焼結合金多穴の排気穴と、外部に設けた真空ポンプとを導通することと、前記受容体積室を急激に形成され、品物が受容された位置と、前記受容体積室外に急激に品物を押し出した位置と、前記排気穴が導通した位置と、をシリンダの停止位置にすることと、シリンダの停止位置をピストンの下死点及び上死点にすることと、前記急激に形成される受容体積室に受容された体積内の品物中の空気を、真空ポンプの最大真空圧力までの任意の真空圧力に自在調整し排気することと、前記真空で排気し一定の密度にならしめた方法を用いてなる品物を形成するための、又は、品物を充填するためのいずれかの装置。
【請求項４】
請求項１、２、又は、３に記載のいずれかの一項を用いてなる正負極活物層、二次電池、又は、トナーいずれかの１種。